(57)【特許請求の範囲】
【請求項１】
構築すべき地下躯体の外周側の地盤中にモルタルまたはコンクリートからなる壁体を形成するとともに、上下方向に延在する鉄骨をその上端部を上方に突出させて前記壁体中に埋設した後、
前記地下躯体の上方に構築される地上躯体の基準階を構成する本設の床躯体を前記鉄骨上に架設し、
該床躯体の下方にて前記壁体の内側の地盤を定められた深さまで根切りして、ここに前記地下躯体を下方から上方に向けて積み上げ構築していき、
しかる後に前記床躯体に接続する地下躯体の構築方法であって、
前記床躯体の両端部に、側方に突出する支持ブラケットを着脱自在に取り付けておき、該支持ブラケットを前記鉄骨上に載置することによって前記床躯体を架設し、
前記地下躯体を構築した後には、前記支持ブラケットを前記床躯体から取り外すことを特徴とする地下躯体の構築方法。
【請求項２】
請求項１記載の地下躯体の構築方法において、
前記床躯体または前記支持ブラケットを、前記鉄骨上にレベル調整部材を介して架設することを特徴とする地下躯体の構築方法。
【発明の詳細な説明】
【０００１】
【発明の属する技術分野】
本発明は、例えばビルの地下部等、地下躯体を構築するときに用いて好適な地下躯体の構築方法に関するものである。
【０００２】
【従来の技術】
従来、ビルの地下部等の地下躯体を構築する方法として、地盤を掘削しつつ地下躯体を上方から下方に向けて構築していく、いわゆる逆打ち工法が多用されている。
【０００３】
しかしながら、この逆打ち工法においては、柱等、上下に連続する部材を上方から下方に構築していくときに、既に形成した部分とその下方に新たにコンクリートを打設して形成する部分との接合部で品質を確保するため、コンクリートを確実に打ち継ぎしなければならず、これによって施工に手間がかかるという問題がある。
【０００４】
近年、このような問題を解決するため、以下のような方法が開発されている。この方法では、図６に示すように、まず、地盤Ｇ中に構築した基礎杭１、１、…に、鉄骨からなる仮設構真柱２、２、…を建て込む。そして、この仮設構真柱２、２、…上に、ビルの地上部の基準階、例えば１階部分の床梁鉄骨３を架設し、この床梁鉄骨３上に床４を先行構築する。この後、この床４を乗入れ構台として用い、その下方において地盤を所定深さまで根切りして、その底部に地下躯体の基礎５を構築する。しかる後に、この基礎５上に柱６等を下方から上方に向けて順打ちで形成することによって、地下躯体７を構築するようになっている。
【０００５】
【発明が解決しようとする課題】
しかしながら、上述したような従来の地下躯体の構築方法には、以下のような問題が存在する。
地下躯体７の内周部においては、この基礎杭１と仮設構真柱２とが同心状に位置するようになっている。ところが、図７に示すように、地下躯体７の外周部においては、基礎杭１と仮設構真柱２とが偏心した配置となることがある。この場合、図８に示すように、基礎杭１の鉄筋８と、仮設構真柱２とが干渉してしまうために前記構築方法を採用することができず、地下躯体の効率的な施工を行うことができないという問題がある。
本発明は、以上のような点を考慮してなされたもので、地下躯体を効率よく施工することのできる地下躯体の構築方法を提供することを課題とする。
【０００６】
【課題を解決するための手段】
請求項１に係る発明は、構築すべき地下躯体の外周側の地盤中にモルタルまたはコンクリートからなる壁体を形成するとともに、上下方向に延在する鉄骨をその上端部を上方に突出させて前記壁体中に埋設した後、前記地下躯体の上方に構築される地上躯体の基準階を構成する本設の床躯体を前記鉄骨上に架設し、該床躯体の下方にて前記壁体の内側の地盤を定められた深さまで根切りして、ここに前記地下躯体を下方から上方に向けて積み上げ構築していき、しかる後に前記床躯体に接続する地下躯体の構築方法であって、前記床躯体の両端部に、側方に突出する支持ブラケットを着脱自在に取り付けておき、該支持ブラケットを前記鉄骨上に載置することによって前記床躯体を架設し、前記地下躯体を構築した後には、前記支持ブラケットを前記床躯体から取り外すことを特徴としている。
【０００８】
請求項２に係る発明は、請求項１記載の地下躯体の構築方法において、前記床躯体または前記支持ブラケットを、前記鉄骨上にレベル調整部材を介して架設することを特徴としている。
【０００９】
【発明の実施の形態】
以下、本発明に係る地下躯体の構築方法の実施の形態の一例を、図１ないし図５を参照して説明する。
図１に示すように、ビル１０は、基礎杭１１、１１、…上に構築されており、地上部１０Ａが鉄骨鉄筋コンクリート造、地下部（地下躯体）１０Ｂが鉄筋コンクリート造とされている。
【００１０】
このようなビル１０を構築するには、図２に示すように、まず、地盤Ｇ中に基礎杭１１、１１を所定位置に構築する。その後、構築すべきビル１０の地下部１０Ｂの外周側の地盤Ｇ中に、コンクリート造またはモルタル造の土留壁１２を形成する。
これには、この土留壁１２を形成すべき位置に、削孔機で多数の立坑を掘削形成して、これら立坑を周方向に連続させることによって溝を形成し、この溝内にコンクリートやソイルモルタル（以下、単にソイルモルタルと称する）１４を打設する。続いて打設したソイルモルタル１４中に、芯材となるＨ型の鉄骨１５、１５、…を挿入する。このとき、ソイルモルタル１４の打設レベルは、構築すべきビル１０の基準階、例えば１階部分の床躯体レベルよりも所定寸法下方レベルまでにとどめ、各鉄骨１５の上端部をソイルモルタル１４よりも上方に突出させるようにする。
このようにして、打設したソイルモルタル１４が硬化することによって、ここに土留壁１２が構築されることになる。
【００１１】
次いで、土留壁１２から突出した鉄骨１５上に、ビル１０の基準階である１階部分の床躯体２０を架設する。
床躯体２０は、ビル１０の１階部分の床を支持する大梁を構成する梁鉄骨２１と、所定長の柱鉄骨２２、２２と、前記梁鉄骨２１上に形成された床２３とで構築される。図３に示すように、床２３は、梁鉄骨２１に一体に取り付けられたプレート受け２４上にデッキプレート２５が架設され、該デッキプレート２５上に床鉄筋２６が配筋されて、さらに床コンクリート２８が打設された鉄筋コンクリート造となっている。
【００１２】
図２および図４に示すように、このような床躯体２０の梁鉄骨２１には、その両端部に接続フランジ２１ａ、２１ａが一体に設けられているので、各接続フランジ２１ａには、水平方向外方に延出する所定長の鉄骨材からなる支持ブラケット３０を例えばボルト・ナット等によって着脱自在に接続しておく。
【００１３】
一方、図２および図５に示すように、この支持ブラケット３０を載置する位置の各鉄骨１５には、上端部にＬ字状のアングル材からなるレベル調整部材３１を取り付ける。さらに互いに隣接する３本の鉄骨１５、１５、１５のレベル調整部材３１、３１、…上に、これらが隣接する方向に延在するＨ型鋼からなる支持部材３２を架設する。
そして、図２に示したように、この支持部材３２上に前記支持ブラケット３０の端部を載置することによって、床躯体２０を土留壁１２に埋設されている鉄骨１５で支持した状態とする。このとき、レベル調整部材３１の高さを適宜調整することによって、床躯体２０のレベル調整が行えるようになっている。
【００１４】
次いで、このようにして架設した床躯体２０の下方において、土留壁１２の内方の地盤Ｇを掘削して所定深さまで根切りしていく。
【００１５】
そして、ビル１０の地下部１０Ｂを順打ち工法で構築していく。
これには、まず、基礎梁３５を鉄筋コンクリート造で形成した後、地下部１０Ｂの柱３６を鉄筋コンクリート造で構築する。さらに、図３に示したように、外周壁３７を鉄筋コンクリート造で構築するが、このときには、床躯体２０の梁鉄骨２１の周囲にもコンクリートを打設して、ビル１０の基準階の梁３８を同時に形成する。
このようにして、地下部１０Ｂが構真柱を用いることなく構築される。
【００１６】
地下部１０Ｂの構築が完了した後、その外周面から突出した状態となっている支持ブラケット３０を梁鉄骨２１の接続フランジ２１ａから取り外す。さらに、支持部材３２およびレベル調整部材３１を撤去した後、図１に示したように、地表部まで土を埋め戻す。
【００１７】
なお、ビル１０の地上部１０Ａの構築作業は、床躯体２０を乗り入れ構台として用いて、地下部１０Ｂの構築作業と並行して行う。
【００１８】
上述したビル１０の地下部１０Ｂの構築方法では、土留壁１２を構築するとともに、鉄骨１５、１５、…をこの土留壁１２に上端部を突出させて埋設した後、ビル１０の地上部１０Ａの基準階を構成する床躯体２０を、前記鉄骨１５、１５、…上に架設し、該床躯体２０の下方において、地盤Ｇを所定深さまで根切りした後、地下部１０Ｂを下方から上方に積み上げ構築していく構成となっている。このようにして、土留壁１２に埋設した鉄骨１５、１５、…上に床躯体２０を架設し、その下方で地下部１０Ｂを構築することによって、従来のように構真柱を用いることなく、地下部１０Ｂを構築することができる。したがって、当然のことながら地下部の外周部において構真柱と杭の鉄筋とが干渉するということは起こり得ず、したがって地下部１０Ｂを効率よく構築することができる。もちろん、床躯体２０の下方で地下部１０Ｂを構築するに際しては、逆打ち工法ではなく順打ち工法で構築することができるので、その施工を容易かつ確実に行うことができる。さらには、地下部１０Ｂの構築作業と並行して床躯体２０上で地上部１０Ｂの構築作業を行うこともできる。
【００１９】
また、床躯体２０を構成する梁鉄骨２１の両端部に支持ブラケット３０を取り付けておき、該支持ブラケット３０を鉄骨１５、１５、…上に載置することによって床躯体２０を架設するようにし、地下部１０Ｂの構築後には支持ブラケット３０を取り外す構成とした。このようにして、支持ブラケット３０を地下部１０Ｂの構築中のみ用い、地下部１０Ｂの完成後に取り外すことによって、地下部１０Ｂから側方に突出するこの支持ブラケット３０が錆びて外観を損なったりすることを防ぐことができる。
【００２０】
さらに、床躯体２０をレベル調整部材３１を介して鉄骨１５、１５、…上に架設する構成とした。レベル調整部材３１を用いずに床躯体２０を所定レベルに架設しようとすると鉄骨１５、１５、…を高い精度で建て込まなければならないが、前記したようにレベル調整部材３１を用いることによって床躯体２０の建て込みレベルを調整することができ、これによって鉄骨１５、１５、…を土留壁１２に埋設するに際して特に高い精度が要求されることなく、したがって、床躯体２０の建て込み精度を確保した上で施工の容易化を図ることができる。
【００２１】
加えて、床躯体２０を支持するための各支持ブラケット３０を、支持部材３２を介して、例えば３本の鉄骨１５、１５、１５で支持するようにした。これにより、床躯体２０からの軸力を分散させることができる。
【００２２】
なお、上記実施の形態において、土留壁１２をソイルモルタルで形成する構成としたが、これをコンクリート造等としてもよい。
また、地下部１０Ｂを支持する基礎は、上記の杭基礎以外の、例えばベタ基礎等であってもよい。
さらに、床２３を鉄筋コンクリート造としたが、これをハーフプレキャスト造等としてもよい。
また、地下部１０Ｂについては、その階数は限定するものではなく、地下２階以上のものであっても、上記と全く同様にして構築することが可能である。
加えて、上記実施の形態において、地盤Ｇの掘削前に基礎杭１１を構築する構成としたが、もちろん、床躯体２０の下方において地盤Ｇを根切りした後に基礎杭１１を施工するようにしてもよい。
また、基礎杭１１、１１を施工した後に土留壁１２を構築する構成としたが、土留壁１２を先行施工するようにしてもよい。
さらに、床躯体２０の設置レベルが、地表面より下方の地盤中である例を用いたが、土留壁１２に埋設した鉄骨１５、１５、…上で支持するのであれば、床躯体２０の設置レベルは、地表面あるいはそれ以上であってもよい。
【００２３】
【発明の効果】以上説明したように、請求項１に係る地下躯体の構築方法によれば、地盤中に壁体を形成するとともに、該壁体中に鉄骨を上方に突出させて埋設した後、地上躯体の基準階を構成する本設の床躯体を前記鉄骨上に架設し、該床躯体の下方にて地盤を定められた深さまで根切りして、ここに地下躯体を下方から上方に向けて積み上げ構築していく構成とした。このようにして、構築すべき壁体の外周側に形成した壁体に埋設された鉄骨上に床躯体を架設し、その下方で地下躯体を構築することによって、従来のように構真柱を用いることなく地下躯体を構築することができる。したがって、当然のことながら地下躯体の外周側においても構真柱と杭の鉄筋とが干渉するということは起こり得ず、地下躯体を効率よく構築することができる。もちろん、床躯体の下方で地下躯体を構築するに際しては、逆打ち工法ではなく、地下躯体を下方から上方に向けて順打ち工法で構築することができるので、その施工を容易かつ確実に行うことができる。さらには、地下躯体の構築作業と並行して床躯体上で地上躯体の構築作業を行うこともできる。
【００２４】
また、床躯体の両端部に支持ブラケットを着脱自在に取り付けておき、該支持ブラケットを鉄骨上に載置することによって床躯体を架設し、地下躯体を構築した後に支持ブラケットを床躯体から取り外す構成とした。このようにして、支持ブラケットを地下躯体の構築中のみ用い、地下躯体の完成後に取り外すことによって、この支持ブラケットが錆びて外観を損なうことを防ぐことができる。
【００２５】
請求項２に係る地下躯体の構築方法によれば、床躯体または支持ブラケットをレベル調整部材を介して鉄骨上に架設する構成とした。これにより、床躯体の建て込みレベルをレベル調整部材によって調整することができるので、床躯体を支持する鉄骨を壁体に建て込むに際して、特に高い精度が要求されることなく、したがって施工が困難になることなく床躯体の建て込み精度を確保することができる。
【図面の簡単な説明】
【図１】本発明に係る地下躯体の構築方法を適用して構築した地下躯体の一例を示す立断面図である。
【図２】前記構築方法で構築途中の地下躯体を示す立断面図である。
【図３】前記構築方法において地下躯体を構築するに際し、その上方に架設する基準階の床躯体の一部を示す立断面図である。
【図４】前記床躯体の他の一部およびこれに取り付ける支持ブラケットを示す立断面図である。
【図５】前記床躯体を壁体に埋設した鉄骨上で支持した状態を示す側断面図である。
【図６】従来の地下躯体の構築方法の一例を示す立断面図である。
【図７】前記地下躯体の基礎の外周部を示す平断面図である。
【図８】図７の部分拡大図である。
【符号の説明】
１０Ｂ  地下部（地下躯体）
１２  土留壁（壁体）
１５  鉄骨
２０  床躯体
３０  支持ブラケット
３１  レベル調整部材
Ｇ  地盤
【図１】
0003567387.tif 000002
【図２】
0003567387.tif 000003
【図３】
0003567387.tif 000004
【図４】
0003567387.tif 000005
【図５】
0003567387.tif 000006
【図６】
0003567387.tif 000007
【図７】
0003567387.tif 000008
【図８】
0003567387.tif 000009